(57)【特許請求の範囲】
【請求項１】
撮像手段にて撮像された画像に対してデジタルズーム処理を行うデジタルズーム処理手段と、
最大デジタルズーム量を使用者に選択させるための最大デジタルズーム量候補表示手段とを有する撮像装置において、
前記最大デジタルズーム量候補表示手段では、最大デジタルズーム量の選択であることに対応した表示とともに表示される選択候補が記録画素数を表現するものであることを特徴とする撮像装置。
【請求項２】
前記記録画素数の表現は、デジタルズーム処理が行われている際に、前記デジタルズーム処理手段によって選択される前記撮像手段で得られた情報の範囲の画素数に比して等しいか、近似である数であることを特徴とする請求項１に記載の撮像装置。
【請求項３】
前記記録画素数は、デジタルズーム処理が行われている際に、前記デジタルズーム処理手段によって選択される前記撮像手段で得られた情報の範囲の画素数に比して等しいか、近似である解像度で規定された規格の名称または略称、もしくは前記解像度の精細感を表す呼称で表現されるものであることを特徴とする請求項１に記載の撮像装置。
【請求項４】
前記記録画素数は、デジタルズーム処理が行われている際に、前記デジタルズーム処理手段によって選択される前記撮像手段で得られた情報の範囲の画素数に応じて予め設定された複数の等級で表現されるものであることを特徴とする請求項１に記載の撮像装置。
【発明の詳細な説明】
【技術分野】
【０００１】
本発明は、最大デジタルズーム量を選択設定できる撮像装置に関するものである。
【背景技術】
【０００２】
従来、撮像装置のズーム機能は、光学的に行うものと電子的に行うものの二者に大別できる。一般的に前者を“光学ズーム”、後者を“デジタルズーム”と呼んでいる。
【０００３】
光学ズームは、光学レンズの組合せ方を変化させることで、被写体像の大きさを変化させるため、ズーム倍率の変化による画質の劣化は生じない。
【０００４】
一方、デジタルズームは、光学ズームとは異なり、撮像素子が有する画素中の一部分の範囲を切り出して拡大するものである。そのために、切り出される画素数が記録される画像の画素数を下回った場合には、その不足分を補完処理で補うことになり、画質の劣化が免れない。
【０００５】
使用者には出来るだけ高画質で撮影をしたい欲求がある。そのため、デジタルズームを用いて撮影される画質がどの程度になるのかを定量的かつ直感的に認識できる表示を行う撮像装置が提案されている（例えば、特許文献１参照）。
【特許文献１】特開２００６−２１１４３４号公報
【発明の開示】
【発明が解決しようとする課題】
【０００６】
しかしながら、特許文献１のような撮像装置において、所望する程度以上の画質で撮影を行いたいと思っていても、急激なズーム操作を行っている最中では、刻々と変動する画質に関する表示を見ながら所望画質の限度でズーム操作を停止することは困難である。また、構図などの確認に意識が集中していると、画質に関する表示を見落としてしまうことが十分に考えられ、結果として所望した程度以下の画質で撮影される可能性がある。
【０００７】
上記のような使用者自身が意図していない撮影が行われることを防ぐことを目的として、デジタルズームにおいては最大ズーム量に関する設定機能が用意されている。しかし、従来の設定方法は選択候補がズーム倍率（例えば、「×４０」「×１００」（それぞれ４０倍、１００倍の意味））で表現される形式である。よって、ズーム倍率から画質の程度を判断するためには、デジタルズームでの撮影を何回も行い、その関係を経験的に習得しなければならず、直感的な操作には適さない。
【０００８】
（発明の目的）
本発明の目的は、最大デジタルズーム量を設定する際に、使用者に画質劣化がどの程度であるのかを直感的に判断させることのできる撮像装置を提供しようとするものである。
【課題を解決するための手段】
【０００９】
上記目的を達成するために、本発明は、撮像手段にて撮像された画像に対してデジタルズーム処理を行うデジタルズーム処理手段と、最大デジタルズーム量を使用者に選択させるための最大デジタルズーム量候補表示手段とを有する撮像装置において、前記最大デジタルズーム量候補表示手段では、最大デジタルズーム量の選択であることに対応した表示とともに表示される選択候補が記録画素数を表現するものである撮像装置とするものである。
【発明の効果】
【００１０】
本発明によれば、最大デジタルズーム量を設定する際に、使用者に画質劣化がどの程度であるのかを直感的に判断させることができる撮像装置を提供できるものである。
【発明を実施するための最良の形態】
【００１１】
本発明を実施するための最良の形態は、以下の実施例１ないし３に示す通りである。
【実施例１】
【００１２】
図１は本発明の実施例１に係わる撮像装置の概略構成を示すブロック図である。図１において、１は撮像部であり、撮像素子、レンズ、絞り、光学ズーム機構などから構成され、撮像した被写体を電気信号に変換する。２は画像処理部であり、撮像部１から受け取った電気信号に様々な信号処理を行い、所定の画像信号を生成する。３は撮像装置の動作制御に関する処理を行う制御部であり、各種入力スイッチの処理制御、光学レンズの駆動制御、画像処理部２への指示などを行う。
【００１３】
４はデジタルズーム処理部であり、デジタルズーム処理の際に画像処理部２と協同して撮像部１が有している撮像素子で得られた情報の一部分を選択し、切り出す処理を行う。５は記録部であり、画像処理部２で生成された画像信号を内部メモリや外部メモリに記録する。６はＬＣＤなどの表示部であり、撮影画像や使用者に向けた画像情報を表示する。７はレリーズスイッチであり、静止画を撮影する際のシャッタボタンである。８はズームアップおよびズームバックを操作するためのズームスイッチであり、この操作情報をもとに光学レンズの駆動、およびデジタルズームの切り出しサイズ変更が行われる。９は使用者から何らかの入力情報を得るための入力スイッチであり、プッシュスイッチやタッチパネルなどが該当する。
【００１４】
上記の画像処理部２、制御部３、デジタルズーム処理部４などは独立に存在する場合もあれば、何れかの代表部分の中に他が内包されている場合もある。
【００１５】
デジタルズーム機能を有している撮像装置では、デジタルズーム機能の有効、無効の設定や、有効時の最大デジタルズーム量に関する設定が可能なものがある。図２に、最大デジタルズーム量の設定をする際に、表示部６に画素数で表現した選択候補を表示する例を示す。この画素数は、デジタルズーム処理時にデジタルズーム処理部４によって選択される撮像部１内の撮像素子で得られた情報(画像として使う信号情報)の範囲(切り出された領域)の画素数を示す。尚、デジタルズーム処理部４によって選択される撮像素子で得られた情報の範囲の画素数のことを、以下、読出し画素数と記す。
【００１６】
ここで、デジタルズーム処理部４等により、撮像素子で得られた情報の一部分を選択し、切り出す処理の一例を詳述する。
【００１７】
選択された設定値を基に、撮像部１に具備される撮像素子の切り出し画素範囲を決定する。これは記録画像のアスペクト比を含めた計算である。例えば、「６Ｍ（６００万画素）」に設定された場合は、「長辺画素数×短辺画素数＝約６００万」であり、このとき記録画像のアスペクト比が「４：３」であるならば、「長辺画素数×（３／４）＝短辺画素数」となる。この設定値における切り出し画素範囲は前記２つの方程式の解となり、一例として「２８４０×２１３０（＝６０５万）」という値が挙げられる。
【００１８】
長辺総画素数＝Ｘｍａｘ，短辺総画素数＝Ｙｍａｘの長方形状をしている撮像素子の１つの角を基準に画素座標を割り振ったとき、その中心画素座標は
［ｘ＝Ｘｍａｘ／２，ｙ＝Ｙｍａｘ／２］
となる。なお、ｘは横方向（長辺）、ｙは縦方向（短辺））である。
【００１９】
ここで、デジタルズームによる切り出し画素数を長辺切り出し画素数＝Ｘｚｏｏｍ、短辺切り出し画素数＝Ｙｚｏｏｍとする。ズーム拡大の中心は、撮像素子の中心とする。このときの切り出し画素範囲の座標は、図１３に示すように、
［ｘ＝（Ｘｍａｘ／２）−（Ｘｚｏｏｍ／２），
ｙ＝（Ｙｍａｘ／２）−（Ｙｚｏｏｍ／２）］
［ｘ＝（Ｘｍａｘ／２）−（Ｘｚｏｏｍ／２），
ｙ＝（Ｙｍａｘ／２）＋（Ｙｚｏｏｍ／２）］
［ｘ＝（Ｘｍａｘ／２）＋（Ｘｚｏｏｍ／２），
ｙ＝（Ｙｍａｘ／２）＋（Ｙｚｏｏｍ／２）］
［ｘ＝（Ｘｍａｘ／２）＋（Ｘｚｏｏｍ／２），
ｙ＝（Ｙｍａｘ／２）−（Ｙｚｏｏｍ／２）］
の４点に囲まれた領域になる。
【００２０】
以下、具体的な数値を使った動作例を示す。撮像素子の総画素数を「３３００×２４００」の７９２万画素とし、切り出し画素数を前例に挙げた「２８４０×２１３０（＝６０５万）」とする。撮像素子の中心画素座標は「ｘ＝１６５０，ｙ＝１２００」となり、切り出し画素範囲は次の４点の座標に囲まれた領域になる。
【００２１】
［ｘ＝２３０  ，ｙ＝１３５］
［ｘ＝２３０  ，ｙ＝２２６５］
［ｘ＝３０７０，ｙ＝２２６５］
［ｘ＝３０７０，ｙ＝１３５］
応用動作として、ズーム拡大の中心を撮像素子の中心とは異なる座標にすることも考えられる。例えば、人の顔があると認識した座標を中心とする場合である。
【００２２】
以上の動作は、図２の撮像部１、画像処理部２、デジタルズーム処理部４の共同作業である。撮像素子がＣＣＤの場合には、その全画素を読み出したデータの中から、画像処理部２とデジタルズーム処理部４が記録に必要な領域だけを切り出す。撮像素子がＣＭＯＳの場合には、記録に必要な領域をデジタルズーム処理部４が決定して、その領域を撮像部１に通知することで、必要な領域の画素からだけ信号を読み出すことができる。いずれもデジタルズーム処理部４が領域の選択を行うことになる。
【００２３】
以下に、総画素数８００万画素の撮像素子を有する撮像装置での設定、並びに動作について説明する。
【００２４】
使用者が撮像装置の設定変更メニューの中にあるデジタルズームリミット設定項目を選択すると、表示部６に、図２に示すような選択候補が画素数表現で表示される。この図２では、画素数のみが表示されるように描いているが、劣化度が直感的に想像できるような色彩表現を付加したり、従来の撮像装置で表示されていたような倍率表現を併用したりすることも有効である。
【００２５】
使用者は入力スイッチ９を駆使して自らが許容できると判断するデジタルズームの画質度合としての記録画素数を選択する。ここでは６００万画素を意味する“６Ｍ（メガ）”を選択したとする（図２参照）。使用者が入力スイッチ９を使用して選択を決定した情報は制御部３で認識された後、“６Ｍ”が選択されたことがデジタルズーム処理部４に伝達される。すると、デジタルズーム処理部４ではこれをリミット画素数（最大デジタルズーム量）として、例えば読出し画素数を６００万画素に限定する。なお、ここではデジタルズームの画質度合として、読出し画素数に比して等しい「６Ｍ」にしているが、「６Ｍ」以上か「６Ｍ」以下の近似である数としても良い。例えば、「２８００×２１００＝５８８万」でも「６Ｍ」の近似として扱って良い。
【００２６】
以上のデジタルズームリミット設定が完了した後で、静止画を撮影する際の制御部３にて実行される動作を、図３のフローチャートを用いて説明する。尚、このフローチャートにはズーム動作と撮影に関する操作のみを示している。なお、撮像装置は、光学ズームが優先処理され、テレ端以上のズームに関してのみデジタルズーム処理が行われるものとする。
【００２７】
図３において、まずステップＳ１０１では、レリーズスイッチ７の押下操作が行われたか否かの判定を行う。押下操作が行われていれば，後述のステップＳ１１４以降の処理へ進む。レリーズスイッチ７の押下操作が行われていない場合はステップＳ１０２へ進み、ズームスイッチ２によるズーム操作が行われたかの判定を行う。ズーム操作が行われていなければステップＳ１０１に戻り、レリーズスイッチ７の押下操作およびズーム操作の入力待ち状態となる。
【００２８】
ステップＳ１０２でズーム操作が行われたことを判定するとズーム処理動作に入り、次のステップＳ１０３にて、このときのズーム処理がズームアップであるか否かを判定する。ズームアップでなければ後述のステップＳ１０９以降の処理へ進む。ズームアップであればステップＳ１０４へ進み、光学レンズがテレ端であるかの判定を行い、テレ端でない場合にはステップＳ１０５へ進み、光学レンズをテレ端側へ駆動する。その後はステップＳ１０２に戻る。
【００２９】
上記ステップＳ１０４にて光学レンズがテレ端に位置していると判定した場合は、デジタルズーム処理に入る。そして、次のステップＳ１０６にて、現在の読出し画素数と使用者がデジタルズームリミット設定で選択したリミット画素数（例えば、６Ｍ）を比較する。この結果、現在の読出し画素数がリミット画素数より多いときにはステップＳ１０７へ進み、読出し画素数を減少させてデジタルズームアップ処理をする。一方、読出し画素数がリミット画素数と等しい場合にはステップＳ１０８へ進み、デジタルズームアップ処理は行わない。この際、表示や音による何らかのメッセージを発するようにしても良い。
【００３０】
上記ステップＳ１０３でズームアップでなく、ズームバックである場合はステップＳ１０９へ進み、現在の読出し画素数とデジタルズーム非処理時に最大となる読出し画素数（以下、最大画素数）を比較する。その結果、最大画素数よりも読出し画素数の方が少ない場合は、デジタルズーム処理の動作中であると判定できるのでステップＳ１１０へ進み、読出し画素数を増やすことでズームバック処理を行う。一方、読出し画素数と最大画素数が等しい場合は、光学ズーム領域もしくは光学レンズがテレ端に位置する状態と判定できるのでステップ１１１へ進む。ステップＳ１１１では、その時の光学レンズがワイド端に位置しているか否かを判定し、ワイド端に位置している場合はステップＳ１１２へ進み、それ以上のズームバックは行わない。また、光学ズームの可動領域に位置している場合はステップＳ１１３へ進み、この場合のみワイド端側への駆動を行う。
【００３１】
以上のズーム調節が完了した後、使用者はレリーズスイッチ７を押圧操作を行うことになる。
【００３２】
上記レリーズスイッチ７の押圧操作がなされると、図３のステップＳ１０１にてその事が判定され、ステップＳ１１４へ処理が進み、被写体の撮影が行われる。これにより、次のステップＳ１１５にて、撮像部１から画像処理部２に電気信号が読み出され、読み出された画素の信号から記録部５に記録する画像を生成され、次のステップＳ１１６にて、生成された画像が記録部５に記録される。
【００３３】
上記記録部５に記録される画像のサイズは使用者の設定により別途決定される。図４は、記録画像サイズの設定画面の一例である。ここでは記録画像の「横方向画素数×縦方向画素数」の形式で表現されている。これらの縦横を掛け算した結果が記録画素数になる。「３３００×２４００」は７９２万画素、「２６００×１９００」は４９４万画素となり、以下順次１９２万画素、９６万画素、３０万画素となる。
【００３４】
ここで、上記ステップＳ１１５での画像処理に含まれる読出し画素数と記録画素数の関係に応じた処理について、図５のフローチャートを用いて説明する。
【００３５】
デジタルズーム処理中の状態で、読出し画素数が６００万画素であり、記録画像サイズに「２６００×１９００」が選択されている場合の両者の関係は図６のようになる。
【００３６】
図５のステップＳ２０１では、両者の画素数、つまり読出し画素数と記録画素数を比較する。この例では、読出し画素数が記録画素数より多いのでステップＳ２０２へ進み、その差分である１０６万画素分の間引き処理を行う。
【００３７】
また、記録画像サイズに「３３００×２４００」が選択されている場合の関係は図７のようになり、この場合は読出し画素数よりも記録画素数の方が多いので、ステップＳ２０１からステップＳ２０３へ進み、その差分である１９２万画素分の補完処理を行う。
【００３８】
上記の間引き処理および補完処理の方法に関しては特に明記しないが、公知技術を用いることが可能である。
【００３９】
図６のように記録画素数に対して読出し画素数が上回る場合は、補完処理による画質の劣化が生じないために、使用者が期待した撮影結果を得ることができる。一方、図７のように記録画素数に対して読出し画素数が下回った場合には、補完処理による画質の劣化が生じる。しかしこの場合でも、パソコン等で縮小処理などの後処理を施すことによって、最大ズーム量に設定した画素数と同等の画素数の撮像素子を有した撮像装置による記録画像と同程度の画質を確保できる。
【００４０】
従って、最大デジタルズーム量を設定する際の選択候補を、画素数による表現形式、つまり画質度合としての記録画素数による表現形式を用いることによって、使用者に最大デジタルズーム時の画質の劣化程度を直感的に判断させることができる。
【００４１】
尚、図３におけるズーム操作処理では、光学レンズの位置を毎回確認していたが、この派生例として、デジタルズーム処理中であることをフラグ情報として扱う場合のフローチャートを、図８に示している。図８のステップＳ３０４，Ｓ３０９，Ｓ３１４のデジタルズーム処理フラグの部分がそれに相当する。基本的な動作は上記図３と同様であるので、その詳細は省略する。
【００４２】
また、光学ズームが無い場合のフローチャートを、図９に示している。これは図３の光学ズームに関する項目を削除したものと同じである。
【実施例２】
【００４３】
次に、本発明の実施例２に係わる撮像装置について説明する。上記の実施例１は、特に静止画撮影において有効な表示方法である。一方、動画の場合においては、テレビジョン用に解像度を規定したフォーマットがあるため、この解像度に則した表現が用いられた方が、より直感的に分かりやすい。このような例を、本発明の実施例２として説明する。
【００４４】
図１０は本発明の実施例２に係わる表示部６での表示例を示すものであり、動画に適した表現にしたデジタルズームリミット設定画面である。なお、撮像装置の構成は実施例1と同様であるため、その説明は省略する。
【００４５】
図１０において、“ＨＤ”とは、Ｈｉｇｈ  Ｄｅｆｉｎｉｔｉｏｎの略であり、１０８０ｉや７２０ｐなどの走査線に対する規格があり、前記の例はそれぞれ１０８０本と７２０本である。また、“ＳＤ”とは、Ｓｔａｎｄａｒｄ  Ｄｅｆｉｎｉｔｉｏｎの略であり、ＮＴＳＣフォーマットで５２５本、ＰＡＬフォーマットで６２５本である。
【００４６】
図１０では、選択候補として、“ＯＦＦ”、“ＨＤ”、“ＳＤ”の３つだけしか記載をしていないが、“ＨＤ”を更に数種類に増やしたり、画素数表記の候補を増やしたりすることも考えられる。
【００４７】
以下に“ＨＤ”に１０８０ｉ、“ＳＤ”にＮＴＳＣ、画面アスペクト比として１６：９が設定されている場合を説明する。また、これらの設定は撮像装置の映像記録フォーマットに連動していることが望ましい。
【００４８】
まず、使用者が“ＨＤ”を選択した場合について説明する。この場合は、縦方向のリミット画素数を走査線本数に等しい数値に設定する。この例では、１０８０となる。次に、横方向のリミット画素数であるが、これは画面アスペクト比から算出する。１０８０／９×１６＝１９２０であるから、”ＨＤ”を選択した際のリミット画素数は１９２０×１０８０となる。
【００４９】
従って、使用者がデジタルズームリミット設定で“ＨＤ”を選択した場合には、前記画素数まで補完処理による画質劣化が生じない撮影が可能となる。そのため、記録映像にも同様の画質が保たれると同時に、同等の解像度をもつテレビ画面においても高画質の映像を観賞できる。同様に、“ＨＤ”に７２０ｐが設定されている場合には、１２８０×７２０がリミット画素数となる。
【００５０】
次に、使用者が“ＳＤ”を選択した場合について説明する。この場合は、走査線本数が５２５本であるため、縦方向のリミット画素数は５２５になる。また、横方向のリミット画素数は５２５／９×１６＝９３３（小数点以下切り捨て）であるから、“ＳＤ”を選択した際のリミット画素数は９３３×５２５となる。記録映像フォーマットに１０８０ｉなどのＨｉｇｈ  Ｄｅｆｉｎｉｔｉｏｎが選択されている場合には、補完処理を行った映像が記録されることになるため、これを１０８０ｉのテレビ画面で観賞した際には、画質の劣化を感じることになる。しかし、これは既存のＳｔａｎｄａｒｄ  Ｄｅｆｉｎｉｔｉｏｎによる映像を映し出したときのそれと同程度である。映像記録フォーマットにＮＴＳＣなどのＳｔａｎｄａｒｄ  Ｄｅｆｉｎｉｔｉｏｎが選択されている場合には、補完処理による画質劣化が生じない撮影が可能となる。そのため、Ｓｔａｎｄａｒｄ  Ｄｅｆｉｎｉｔｉｏｎのテレビ画面では、テレビモニタの性能限界内での高画質映像が観賞できる。
【００５１】
従って、最大デジタルズーム量を設定する際の選択候補を、映像信号の解像度と関連のある呼称による表現、つまり画質度合による表現形式を用いる。このことにより、使用者に動画撮影時の最大デジタルズーム時における画質の劣化程度を直感的に判断させることができる。
【実施例３】
【００５２】
次に、本発明の実施例３に係わる撮像装置について説明する。上記の実施例１は、使用者の画素数に対する意識が強い場合に有効であるが、例えば携帯電話に内蔵された撮像装置のような場合には、画素数による最大デジタルズーム量設定は必ずしも直感的とは言えない。むしろこのような装置においては、劣化程度を相対的に表記した方が扱いやすいこともある。このような例を、本発明の実施例３として説明する。
【００５３】
図１１は、本発明の実施例３に係わる、携帯電話に内蔵される撮像装置の画面上において、デジタルズームの画質限度を劣化程度の相対表記によって表示する一例である。ここでは画質の程度を表示しているために、“低”の読出し画素数が最も少なくなる。“高”、“中”、“低”の表現で定義される読出しリミット画素数の一例を、図１２に示す。また、記録画像サイズに関しても、一般的に複数候補中から選択可能になっている。
【００５４】
本発明の実施例３においても、上記実施例と同様の、図３、図５、図８、図９のフローチャートに従い、一連の処理が行われる。
【００５５】
本実施例３は、デジタルズーム機能を備えていて、かつ、使用者の画素数に対する認識が比較的弱い製品でも、デジタルズームによる画質の劣化程度を使用者に直感的に判断させることができる。
【００５６】
以上の各実施例における撮像装置よれば、撮像部１に具備される撮像素子で撮像した画像の画像処理を行う画像処理部２と、画像処理部２にて画像処理された画像を記録する、制御部３を有する。さらには、撮像素子で撮像された画像に対してデジタルズーム処理を行うデジタルズーム処理部４と、デジタルズーム時の最大ズーム量を使用者に選択させるための最大ズーム量候補用の表示部６とを有する。このような撮像装置において、最大ズーム量候補用の表示部６に表示される選択候補を、従来はズーム倍率であったものを、画質度合とするようにしている。
【００５７】
上記の選択候補の画質度合としての記録画素数は、デジタルズーム処理手段によって選択される、撮像素子で得られた情報の範囲の画素数に比して等しいか、近似である数値数量表現で成されるようにしている。
【００５８】
このように、最大デジタルズーム量を設定する際に、選択候補が画素数で表現されているために、そのときの画質劣化の程度をより低画素数の撮像素子を有した撮像装置と比較して直感的に使用者に判断させることができる。つまり、画質度合で表現される選択候補が画素数で表現されているために、最大デジタルズーム時の画質劣化の程度をより低画素数の撮像素子を有した撮像装置と比較して直感的に使用者に判断させることができる。
【００５９】
上記の選択候補の画質度合は、デジタルズーム処理部４によって選択される、撮像素子で得られた情報の範囲の画素数に比して等しいか、近似である解像度で規定された規格の名称または略称、もしくはその解像度の精細感を表す呼称で表現される。例えば、“ＯＦＦ”、“ＨＤ”、“ＳＤ”等である。
【００６０】
このように、最大デジタルズーム量を設定する際に、選択候補が解像度と関連のある呼称で表現されているために、そのときの画質劣化の程度を映像信号の解像度と比較して直感的に使用者に判断させることができる。つまり、画質度合で表現される選択候補が解像度と関連のある呼称で表現されているために、最大デジタルズーム時の画質劣化の程度を映像の解像度と比較して直感的に使用者に判断させることができる。
【００６１】
また、選択候補の画質度合は、デジタルズーム処理部４によって選択される、撮像素子で得られた情報の範囲の画素数に比例して予め設定された複数の等級（“高”、“中”、“低”等）で表現されるようにしている。
【００６２】
このように、最大デジタルズーム量を設定する際に、選択候補が撮影画質の各候補間での相対表記で表現されているために、そのときの画質劣化が他に比してどの程度であるのかを直感的に使用者に判断させることができる。
【００６３】
また、画質度合で表現される選択候補が撮影画質の各候補間での相対表記で表現されているために、最大デジタルズーム時の画質劣化が他に比してどの程度であるのかを直感的に使用者に判断させることができる。
【００６４】
（本発明と実施例の対応）
デジタルズーム処理部４が、本発明の、撮像画像に対してデジタルズーム処理を行うデジタルズーム処理手段に相当する。また、表示部６が、本発明の、最大デジタルズーム量を使用者に選択させるための最大デジタルズーム量候補表示手段に相当する。
【図面の簡単な説明】
【００６５】
【図１】本発明の各実施例に係わる撮像装置の概略構成を示すブロック図である。
【図２】本発明の実施例１に係るデジタルズームリミットに関する設定画面を示す図である。
【図３】本発明の各実施例に係わる撮像装置におけるズーム操作および撮像操作が行われた際の動作を示すフローチャートである。
【図４】本発明の実施例１に係る記録画像サイズに関する設定画面を示す図である。
【図５】本発明の各実施例に係る画像処理中における画素数変換処理を示すフローチャートである。
【図６】本発明の実施例１に係る読出し画素数と記録画素数の関係の一例を示す図である。
【図７】本発明の実施例１に係る読出し画素数と記録画素数の関係の他の例を示す図である。
【図８】図３の一部を変更したズーム操作および撮像操作が行われた際の動作を示すフローチャートである。
【図９】同じく図３の一部を変更したズーム操作および撮像操作が行われた際の動作を示すフローチャートである。
【図１０】本発明の実施例２に係るデジタルズームリミットに関する設定画面を示す図である。
【図１１】本発明の実施例３に係るデジタルズームの画質リミットに関する設定画面を示す図である。
【図１２】同じく本発明の実施例３に係るデジタルズームの画質リミットに関する設定画面の表示文字と読出し画素数の変換関係を示す図である。
【図１３】本発明の各実施例に係る切り出し画素数について説明するための図である。
【符号の説明】
【００６６】
１      撮像部
２      画像処理部
３      制御部
４      デジタルズーム処理部
５      記録部
６      表示部
７      レリーズスイッチ
８      ズームスイッチ
９      入力スイッチ
【図１】
0004991511.tif 000002
【図２】
0004991511.tif 000003
【図３】
0004991511.tif 000004
【図４】
0004991511.tif 000005
【図５】
0004991511.tif 000006
【図６】
0004991511.tif 000007
【図７】
0004991511.tif 000008
【図８】
0004991511.tif 000009
【図９】
0004991511.tif 000010
【図１０】
0004991511.tif 000011
【図１１】
0004991511.tif 000012
【図１２】
0004991511.tif 000013
【図１３】
0004991511.tif 000014